(57)【要約】【課題】リアルタイムにオーディションを受け、他の者の採点を行うことができるカラオケ装置、およびカラオケシステムを提供する。【解決手段】各カラオケ装置は位置情報を記憶している。カラオケ装置１Ａは、オーディション開催通知を所定の距離範囲内に設置されているカラオケ装置（カラオケ装置１Ｂ、カラオケ装置１Ｃ）に送信する。オーディション開催通知を受信したカラオケ装置は、審査参加通知を返信する。カラオケ装置１Ａ審査参加通知を受信すると、カラオケ演奏をスタートし、オーディションデータを生成、送信する。各カラオケ装置は、審査結果をカラオケ装置１Ａに送信し、カラオケ装置１Ａは、審査結果を集計し、この集計結果が一定の基準を超えた場合、さらに広い範囲に再開催通知を送信する。【選択図】図４
2008216432.tif 000002
【特許請求の範囲】
【請求項１】
音声信号を入力する音声入力部と、
ユーザを撮影するカメラと、
他の装置と通信を行う通信部と、
ユーザの操作を受け付ける操作部と、
前記音声入力部が入力した音声信号、および前記カメラが撮影した映像を含むオーディションデータを作成するオーディションデータ作成部と、
設置地点の位置情報を記憶する位置情報記憶部と、
制御部と、を備えたオーディション装置であって、
前記制御部は、前記操作部からオーディション開催操作を受け付けた場合、前記位置情報に基づいて、所定範囲内に設置されている他の装置にオーディション開催通知を送信し、
前記オーディション開催通知を受信した場合に、前記操作部で審査参加操作を受け付け、前記オーディション開催通知を送信した他の装置に前記審査参加通知を送信し、
前記審査参加通知を受信した場合に、前記オーディションデータ作成部が作成したオーディションデータを、前記審査参加通知を送信した他の装置に送信し、
前記オーディションデータを受信した場合に、前記操作部で審査結果を受け付け、前記審査結果に基づいた審査データを、前記オーディション開催通知を送信した他の装置に送信し、
前記審査データを受信し、これを集計するオーディション装置。
【請求項２】
音声信号を生成する音声信号生成部を備え、
前記オーディションデータ作成部は、前記オーディションデータとして前記音声信号生成部が生成した音声信号を含める請求項１に記載のオーディション装置。
【請求項３】
前記制御部は、前記集計した審査データを前記所定範囲内に設置されている他の装置に送信する請求項１、または請求項２に記載のオーディション装置。
【請求項４】
前記制御部は、前記集計した審査データに基づいて、前記所定範囲内よりも広い範囲に設置されている他の装置に、オーディションの再開催通知を送信する請求項１、請求項２、または請求項３に記載のオーディション装置。
【請求項５】
前記オーディションデータは、ストリーミングデータである請求項１乃至請求項４のいずれかに記載のオーディション装置。
【請求項６】
ユーザに利用料を請求、または割引する処理である課金処理を実行する課金処理部を備え、
前記制御部は、前記オーディション開催操作を受け付けたとき、または前記審査データを集計したとき、前記課金処理部に課金処理を実行させる請求項１乃至請求項５のいずれかに記載のオーディション装置。
【請求項７】
前記制御部は、前記課金処理の金額に応じて前記オーディション開催通知を送信する範囲を決定する請求項６に記載のオーディション装置。
【請求項８】
前記制御部は、前記審査参加操作を受け付けたとき、または前記審査データを送信したとき、前記課金処理部に課金処理を実行させる請求項１乃至請求項７のいずれかに記載のオーディション装置。
【請求項９】
請求項１乃至請求項８のいずれかに記載のオーディション装置を、ネットワークを介して複数接続してなるオーディションシステムであって、
複数のオーディション装置に接続されるサーバ装置を備え、
前記制御部は、前記集計した審査データを前記サーバ装置に送信するオーディションシステム。
【発明の詳細な説明】
【技術分野】
【０００１】
この発明は、歌唱した歌唱音声等をネットワークで公開してオーディションを受けることができるオーディション装置、およびオーディションシステムに関する。
【背景技術】
【０００２】
従来、歌唱能力を審査するイベント（オーディション）が多く行われている。オーディションに参加する歌唱者は、自分の実力がどの程度であるかを試してみたいと思うことが有るが、わざわざカラオケ大会などのイベントに出場するのは大げさであると考える人が多い。
【０００３】
そこで、カラオケボックスなどにおいて、カラオケ装置で歌唱し、歌唱音声等をネットワークで公開してオーディションを受けることができるカラオケ装置が提案されている（例えば特許文献１参照）。特許文献１のオーディションカラオケ装置は、自身の歌唱音声や写真をサーバ装置に送信して公開し、他の者がホームページ上で採点を行うものである。
【特許文献１】特開２００６−９１９０１号公報
【発明の開示】
【発明が解決しようとする課題】
【０００４】
しかし、特許文献１のオーディションカラオケ装置は、サーバ装置が必要であった。また、オーディションに参加するためには事前の登録が必要であり、審査員も固定（登録者のみ）であり、動的に審査員が変化するものではなかった。
【０００５】
また、ホームページ上で採点を行うため、審査結果を得るためには、公開してからある程度の時間（約１ヶ月）が必要であった。
【０００６】
この発明は、リアルタイムにオーディションを受け、他の者の採点を行うことができるオーディション装置、およびオーディションシステムを提供することを目的とする。
【課題を解決するための手段】
【０００７】
この発明のオーディション装置は、音声信号を入力する音声入力部と、ユーザを撮影するカメラと、他の装置と通信を行う通信部と、ユーザの操作を受け付ける操作部と、前記音声入力部が入力した音声信号、および前記カメラが撮影した映像を含むオーディションデータを作成するオーディションデータ作成部と、設置地点の位置情報を記憶する位置情報記憶部と、制御部と、を備えたオーディション装置であって、前記制御部は、前記操作部からオーディション開催操作を受け付けた場合、前記位置情報に基づいて、所定範囲内に設置されている他の装置にオーディション開催通知を送信し、前記オーディション開催通知を受信した場合に、前記操作部で審査参加操作を受け付け、前記オーディション開催通知を送信した他の装置に前記審査参加通知を送信し、前記審査参加通知を受信した場合に、前記オーディションデータ作成部が作成したオーディションデータを、前記審査参加通知を送信した他の装置に送信し、前記オーディションデータを受信した場合に、前記操作部で審査結果を受け付け、前記審査結果に基づいた審査データを、前記オーディション開催通知を送信した他の装置に送信し、前記審査データを受信し、これを集計することを特徴とする。
【０００８】
この構成では、オーディション装置の設置地点の位置情報に基づいて、所定範囲内に設置されている他の装置にオーディション開催通知を送信する。例えば、半径５０ｋｍ圏内などに設置されている他の装置にマルチキャスト送信を行う。オーディション開催通知を受信したオーディション装置は、ユーザの審査参加操作を受け付け、審査参加通知を送信する。審査参加通知を受信したオーディション装置、すなわちオーディション開催通知を送信したオーディション装置は、マイクやライン入力で入力された音声信号（例えばユーザの歌唱音声や演奏音）や撮影映像をオーディションデータとして送信する。オーディションデータを受信したオーディション装置のユーザが審査を行い、審査データを送信する。審査データを受信したオーディション装置は、審査データを集計する。集計結果は、例えばモニタに表示してもよいし、プリンタで印刷してもよい。これにより、サーバ装置を必要とせず、リアルタイムにオーディションを行うことができる。また、所定の範囲内の位置に設置されているオーディション装置で審査が行われるため、審査委員も動的に変化する。
【０００９】
また、この発明は、さらに、音声信号を生成する音声信号生成部を備え、前記オーディションデータ作成部は、前記オーディションデータとして前記音声信号生成部が生成した音声信号を含めることを特徴とする。
【００１０】
この構成では、オーディションデータとして音声信号生成部が生成した音声信号が含まれる。音声信号生成部が生成する音声信号とは、例えばカラオケ演奏音である。カラオケ演奏音がミキシングされてオーディションデータして送信され、カラオケオーディションを行うことができる。また、カラオケ演奏音にあわせてカラオケ曲のいずれか１つのパートを演奏する場合であってもオーディションを行うことができる。
【００１１】
また、この発明は、さらに、前記制御部は、前記集計した審査データを前記所定範囲内に設置されている他の装置に送信することを特徴とする。
【００１２】
この構成では、オーディション開催通知を送信したオーディション装置に集計結果を送信する。オーディション開催通知を受信したユーザは、そのオーディションの結果を知ることができ、審査に参加する意欲を促進することができる。
【００１３】
また、この発明は、さらに、前記制御部は、前記集計した審査データに基づいて、前記所定範囲内よりも広い範囲に設置されている他の装置に、オーディションの再開催通知を送信することを特徴とする。
【００１４】
この構成では、集計結果に応じて再度オーディションを行う。例えば、所定距離範囲内の複数ユーザから高い採点結果を得た場合、再開催通知を送信する。他にも、平均点数が所定の基準点を超えているか等、再開催通知を送信する基準は適宜設定すればよい。審査結果が良ければ良いほど、オーディションの開催範囲も広がり、自身の地域のオーディション開催者が全国的に有名になる等、地域単位で盛り上げることができる。
【００１５】
また、この発明は、さらに、前記オーディションデータは、ストリーミングデータであることを特徴とする。
【００１６】
この構成では、オーディションデータとしてストリーミングデータを送信するため、さらにリアルタイム性が向上する。
【００１７】
また、この発明は、さらに、ユーザに利用料を請求、または割引する処理である課金処理を実行する課金処理部を備え、前記制御部は、前記オーディション開催操作を受け付けたとき、または前記審査データを集計したとき、前記課金処理部に課金処理を実行させることを特徴とする。
【００１８】
この構成では、オーディション開催者に課金処理を行う。課金処理は、利用料を請求してもよいし、逆に割り引くようにしてもよい。また、審査データを集計したときに課金処理を実行すれば、審査結果に応じた課金額とすることも可能である。
【００１９】
また、この発明は、さらに、前記制御部は、前記課金処理の金額に応じて前記オーディション開催通知を送信する範囲を決定することを特徴とする。
【００２０】
この構成では、課金額に応じてオーディション開催範囲を決定する。例えば、課金額が大きいほど広い範囲に再開催通知を送信する。
【００２１】
また、この発明は、さらに、前記制御部は、前記審査参加操作を受け付けたとき、または前記審査データを送信したとき、前記課金処理部に課金処理を実行させることを特徴とする。
【００２２】
この構成では、審査する側にも課金処理を行う。気に入っているユーザ（オーディション開催者）であれば、審査参加時に課金処理を行うことでオーディション開催者にキャッシュバックされ、あたかもスポンサーとして振る舞うことができる。また、審査する側にキャッシュバックし、利用料を割り引くようにしてもよい。
【００２３】
この発明のオーディションシステムは、請求項１乃至請求項８のいずれかに記載のオーディション装置を、ネットワークを介して複数接続してなるオーディションシステムであって、複数のオーディション装置に接続されるサーバ装置を備え、前記制御部は、前記集計した審査データを前記サーバ装置に送信することを特徴とする。
【００２４】
この構成では、サーバ装置を備える。サーバ装置は、集計結果を受信する。この集計結果をサーバ装置で管理することにより、例えば各ユーザが集計結果を参照することができる。
【発明の効果】
【００２５】
この発明によれば、サーバ装置を必要としない構成でありながら、その場で誰でもオーディションを開催することができ、リアルタイムに審査結果を得ることができる。また、オーディション開催通知は、所定の距離範囲に送信されるため、動的に審査員も変化する。
【発明を実施するための最良の形態】
【００２６】
図面を参照してこの発明の実施形態について説明する。図１はこの発明の実施形態であるカラオケシステムの構成を示す図、図２は同カラオケシステムのカラオケ装置１Ａの構成を示すブロック図、図３は同カラオケ装置１Ａの概略動作を示すフローチャートである。このカラオケシステムは、インターネット２を介して接続されるカラオケ装置１Ａ〜１Ｅを有している。なお、カラオケ装置１Ａ〜１Ｅは、全て同じ構成、機能を有する。そのため、図２および図３においては、代表してカラオケ装置１Ａの構成、動作を示すものである。
【００２７】
カラオケ装置１Ａおよびカラオケ装置１Ｂは、東京のカラオケ店５０に設置されている。カラオケ装置１Ｃは、東京のカラオケ店５１に設置されている。カラオケ装置１Ｄは、浜松のカラオケ店６０に設置されている。カラオケ装置１Ｅは、大阪のカラオケ店７０に設置されている。なお、カラオケ装置の数、設置地点はこの例に限るものではない。
【００２８】
カラオケ装置１Ａは、通信部１１、制御部１２、表示部１３、記憶部１４、操作部１５、課金処理部１６、カラオケ演奏部１７、ミキサ１８、スピーカ１９、マイク２０、およびカメラ２１を備えている。
【００２９】
カラオケ装置１Ａの制御部１２は、ユーザのリクエストにより記憶部１４からカラオケ曲データを読み出してカラオケ演奏部１７に入力する。カラオケ演奏部１７は、カラオケ曲の演奏を行い、音声信号を生成する。なお、カラオケ曲データとしてはＭＩＤＩデータ（シーケンスデータ）やＭＰ３等の音声データが含まれる。ＭＩＤＩデータをシーケンスすることで音声信号を生成するようにしてもよいし、ＭＰ３データ等の音声データを再生することで音声信号を生成するようにしてもよい。この演奏音の音声信号とマイク２０から入力される歌唱音声とをミキサ１８でミキシングしてスピーカ１９に音声出力する。制御部１２は、カラオケ曲データに含まれる歌詞データを読み出して、歌詞を表示部１３に表示する。また、背景映像等も表示部１３に表示する。このように、カラオケ装置１Ａは、一般のカラオケ装置と同様に通常のカラオケ演奏機能を備えているが、さらに、カラオケ演奏機能に加えてオーディション開催機能、審査機能を備えている。
【００３０】
オーディション開催機能とは、他のカラオケ装置にオーディション開催通知を送信し、歌唱者の歌唱音声データ、顔や姿を撮影した画像データ（静止画、動画を含む。）をオーディションデータとして送信する機能である。また、審査機能とは、オーディションデータを受信し、このオーディションデータに含まれている歌唱音声や歌唱者の映像を審査した審査結果をカラオケ装置に送信する機能である。
【００３１】
これらの機能を実現するため、このカラオケ装置１Ａは、画像データを入力するカメラ２１、歌唱者の操作を入力する操作部１５、および他のカラオケ装置とデータを送受信する通信部１１が設けられている。また、このオーディションへの参加や審査は有料サービスであるため、サービス料金を投入するための課金処理部１６も設けられている。
【００３２】
図３および図４を参照してオーディションモードについて説明する。図３において、ユーザがオーディションに参加する場合、まず、カラオケ装置１Ａに対してオーディションモードを設定する（ｓ１１）。オーディションモードの設定は、操作部１５からコマンドを入力するようにしてもよいし、カラオケ装置に付属の赤外線リモコンからコマンドを入力するようにしてもよい。オーディションモードを設定すると、課金処理部１６で課金処理を行う（ｓ１２）。課金処理は公知のどの様な手法を用いてもよい。なお、課金処理はこのタイミングではなく、審査結果が出た後であってもよい。また、課金処理とは、利用料を請求するだけでなく、逆に、オーディション参加によりカラオケ利用の料金を割り引く（キャッシュバックする）処理も含む。また、審査結果に応じて割引率を変更したり、カラオケ利用の料金を無料としたりしてもよい。また、後述のように、審査に参加するとカラオケ利用の料金を割り引くようにしてもよいし、逆に審査に参加すると利用料を請求するようにしてもよい。
【００３３】
課金処理を終えると、カラオケ装置１Ａは、オーディション開催通知を送信する（ｓ１３）。オーディション開催通知は、マルチキャストにより送信される。ここで、各カラオケ装置１Ａ〜１Ｅは、自装置の設置されている位置（緯度、経度）情報を記憶部１４に記憶している。制御部１２は、この位置情報を読み出し、所定の距離範囲内（例えば半径５０ｋｍ圏内など）に設置されている他のカラオケ装置にマルチキャスト送信を行う。他のカラオケ装置の位置を把握するためには、ブロードキャストにより位置情報リクエストと自装置の位置情報を送信し、他のカラオケ装置が位置情報リクエストに応じて位置情報を返信すればよい。また、新曲配信サイトなどのサーバ装置において全国のカラオケ装置の位置情報を保持しておき、この配信サイトから位置情報をダウンロードするようにしてもよい。また、自装置の記憶部１４に全国のカラオケ装置の位置情報を記憶しておいてもよい。この場合、新曲のダウンロード時に配信サイトから更新された位置情報をダウンロードすればよい。
【００３４】
カラオケ装置は、オーディション開催通知を送信する前に、他のカラオケ装置の位置情報を取得し、自装置との距離を算出する。この距離が所定の範囲内であればオーディション開催通知を送信する。なお、地図データを記憶部１４に記憶しておき、取得した各カラオケ装置の位置情報と照らし合わせ、同一市町村内にオーディション開催通知を送信するようにしてもよい。
【００３５】
本実施形態では、図３のｓ１３のオーディション開催通知送信処理において、図４に示すように、カラオケ装置１Ａがカラオケ装置１Ｂおよびカラオケ装置１Ｃにオーディション開催通知を送信する。カラオケ装置１Ａおよびカラオケ装置１Ｂは、同一のカラオケ店５０に設置されており、同じ位置情報を記憶している（図４の例では緯度３５．６８１３９Ｎ、経度１３９．７６６１０Ｅ）。また、カラオケ装置１Ｃは、カラオケ装置１Ａ及びカラオケ装置１Ｂと同じ市町村（東京）であるカラオケ店５１に設置されており、カラオケ装置１Ａに近い位置情報を記憶している（図４の例では緯度３５．６５８６３Ｎ、経度１３９．７４５４１Ｅ）。カラオケ装置１Ｄは、カラオケ装置１Ａから遠い位置（図４の例では緯度３４．７０３８６Ｎ、経度１３７．７３４７５Ｅ）である浜松のカラオケ店６０に設置されているため、カラオケ装置１Ａは、カラオケ装置１Ｄにオーディション開催通知を送信しない。また、カラオケ装置１Ｅは、カラオケ装置１Ａからさらに遠い位置（図４の例では緯度３４．７０２３９Ｎ、経度１３５．４９５１８Ｅ）である大阪のカラオケ店７０に設置されているため、カラオケ装置１Ａは、カラオケ装置１Ｄにオーディション開催通知を送信しない。
【００３６】
図３において、カラオケ装置１Ｂは、オーディション開催通知を受信し（ｓ３１）、オーディション開催通知の内容を表示部１３に表示する（ｓ３２）。なお、同図では、カラオケ装置１Ｂの動作を示しているが、カラオケ装置１Ｃにおいても同様の処理がなされている。オーディション開催通知の内容としては、オーディション開催通知の送信元のカラオケ装置の設置位置（市町村名）、ユーザ名、曲名、等が含まれる。また、ユーザを撮影した映像（サンプル映像）が含まれていてもよい。カラオケ装置１Ｂのユーザは、表示部１３に表示されたオーディション開催通知の内容を見て、操作部１５を用いて審査参加、不参加を指示する。
【００３７】
カラオケ装置１Ｂは、ユーザから審査参加が指示されたか否かを判断する（ｓ３３）。審査参加が指示された場合、審査参加通知をカラオケ装置１Ａに送信する（ｓ３４）。ユーザから審査参加が指示されない、または不参加を指示された場合、審査参加通知を送信せずにｓ３８の処理に進み、後述の集計結果を受信するまで待機する。なお、審査参加が指示されない、または不参加を指示された場合、審査不参加通知をカラオケ装置１Ａに送信してもよい。同図の例では、カラオケ装置１Ｂから審査参加通知を受信し、カラオケ装置１Ｃからは審査参加通知を受信しなかったものとする。
【００３８】
カラオケ装置１Ａは、カラオケ装置１Ｂから上記審査参加通知を受信し、カラオケ装置１Ｃから審査参加通知を受信しないまたは審査不参加通知を受信する（ｓ１４）。審査参加通知を受信した場合、ユーザは通常どおりカラオケ曲を選曲してカラオケ演奏をスタートし（ｓ１５）、カラオケ曲の演奏に合わせて歌唱する。なお、いずれのカラオケ装置からも審査参加通知を受信しない、または全てのカラオケ装置から審査不参加通知を受信した場合には、オーディション開催不可である旨を表示部１３に表示し、オーディションモードの動作を終える。
【００３９】
カラオケ装置１Ａは、カラオケ音声信号（ミキサ１８で演奏音と歌唱音声がミキシングされた音声信号）と映像信号（カメラ２１で取得したユーザの撮影映像）を記録し、オーディションデータを生成する（ｓ１６）。オーディションデータは、映像と音声が含まれるＭＰＥＧデータ等のマルチメディアデータである。また、このオーディションデータは、ストリーミングデータとして生成される。ストリーミングデータであることは本発明において必須ではないが、リアルタイム性を向上するため、本実施形態ではストリーミングデータとして生成する。カラオケ装置１Ａは、生成したオーディションデータを、審査参加通知を送信したカラオケ装置１Ｂに順次送信する（ｓ１７）。
【００４０】
カラオケ装置１Ｂは、オーディションデータを順次受信し、再生する（ｓ３５）。すなわち、カラオケ装置１Ａで撮影された映像を表示部１３に表示し、カラオケ音声信号をスピーカ１９から放音する。その後、ユーザから審査データを入力する（ｓ３６）。審査データは、例えば点数（１００点満点など）を示すデータであり、ユーザが操作部１５を用いて入力する。また、ユーザが入力したコメント等も審査データに含まれる。
【００４１】
カラオケ装置１Ｂは、入力された審査データをカラオケ装置１Ａに送信する（ｓ３７）。カラオケ装置１Ａは、審査データを受信し、集計を行う（ｓ１８）。審査データの集計は、合計点数や、単純平均点数の算出の他、審査した者による点数の重み付け等を行う。例えば審査回数の多い者の点数は重み付けを大きく、審査回数の少ない者の点数は重み付けを小さくする。その結果、歌唱の善し悪しを客観的に示したデータを算出する。この集計した審査データ（集計結果）は、カラオケ装置１Ａの表示部１３に表示すればよい。また、プリンタ（図示せず）を用いて印刷してもよいし、ユーザの電子メールに送信してもよい。
【００４２】
カラオケ装置１Ａは、集計結果を、オーディション開催通知を送信したカラオケ装置（カラオケ装置１Ｂおよびカラオケ装置１Ｃ）に送信する（ｓ１９）。なお、審査参加通知を送信したカラオケ装置（カラオケ装置１Ｂ）にのみ集計結果を送信するようにしてもよいが、オーディション開催通知を送信したカラオケ装置全てに送信することで、オーディション開催通知を受信したユーザは、審査には参加しなかったがその結果を知ることができ、審査に参加する意欲を促進することができる。
【００４３】
カラオケ装置１Ｂは集計結果を受信し（ｓ３８）、表示部１３に表示する。
そして、カラオケ装置１Ａは、集計結果が一定の基準を超えているか否かを判断する（ｓ２０）。集計結果が一定の基準を超えていれば、再開催通知を送信する（ｓ２１）。一定の基準を超えていなければオーディションモードの動作を終える。一定の基準とは、例えば所定距離範囲内の複数ユーザから高い採点結果を得た場合、すなわち所定の基準点（１００点満点であれば８０点など）を超える採点結果を所定数（１０名など）以上得た場合である。他にも、平均点数が所定の基準点を超えているか等、一定の基準は適宜設定すればよい。この再開催通知は、上述した所定の距離範囲内よりも広い範囲の位置に設置されているカラオケ装置に送信される。再開催通知を送信する範囲（例えば半径２００ｋｍ圏内、東日本、西日本、等）も適宜設定すればよい。
【００４４】
本実施形態において、カラオケ装置１Ａは、図５に示すように、カラオケ装置１Ｂ、カラオケ装置１Ｃ、およびカラオケ装置１Ｄに再開催通知を送信する。カラオケ装置１Ｄは、カラオケ装置１Ｂおよびカラオケ装置１Ｃよりも遠い位置（図４の例では緯度３４．７０３８６Ｎ、経度１３７．７３４７５Ｅ）である浜松のカラオケ店６０に設置されているが、集計結果が所定の基準点を超えたため、この位置が再開催通知を送信する範囲に含まれる。カラオケ装置１Ｅは、カラオケ装置１Ａからさらに遠い位置（図４の例では緯度３４．７０２３９Ｎ、経度１３５．４９５１８Ｅ）である大阪のカラオケ店７０に設置されているため、再開催通知を送信する範囲に含まれていない。そこで、カラオケ装置１Ａは、カラオケ装置１Ｂ、カラオケ装置１Ｃ、およびカラオケ装置１Ｄに再開催通知を送信し、カラオケ装置１Ｅには送信しない。
【００４５】
再開催通知を受信したカラオケ装置１Ｂ、カラオケ装置１Ｃ、およびカラオケ装置１Ｄは、図３のｓ３２以下の処理を繰り返す。また、再開催通知を送信したカラオケ装置１Ａは、図３のｓ１４以下の処理を繰り返す。再開催通知によるオーディションの集計結果（集計結果がさらに高い基準を超えた場合）によってはさらに再開催通知を送信する。すなわち、本実施形態では、カラオケ装置１Ｅにも再開催通知が送信される。このように、オーディションの開催を繰り返すことで、最大で全国のカラオケ装置においてオーディションを行うことができる。審査結果が良ければ良いほど、オーディションの開催範囲も広がり、自身の地域のオーディション開催者が全国的に有名になる等、地域単位で盛り上げることができる。なお、ｓ１２の処理における課金額に応じて再開催通知の送信範囲を変更するようにしてもよい。課金額が大きいほど広い範囲に再開催通知を送信する。また、ｓ３２のオーディション開催通知を表示するときに、審査に参加するユーザに課金処理を行ってもよい。例えばオーディション開催通知に表示されているユーザ名が気に入っているユーザ（オーディション開催者）であれば、審査参加時に課金処理を行うことでオーディション開催者にキャッシュバックされ、あたかもスポンサーとして振る舞うことができる。また、ｓ３７で審査データを送信したのちにキャッシュバックし、カラオケ利用料を割り引くようにしてもよい。
【００４６】
なお、カラオケ装置１Ａは、動作を終えたときに集計結果を配信サイトなどのサーバ装置に送信するようにしてもよい。また、最終的にどの範囲までオーディションがされたか、等も送信するようにしてもよい。各ユーザは、サーバ装置にアクセスし、各地で開催されたオーディションの結果を参照することができる。
【００４７】
また、各ユーザは、お気に入りのユーザを登録しておき、このお気に入りのユーザがオーディションを開催した場合、どの地点にいてもオーディション開催通知を受信できるようにしてもよい。例えば、各ユーザがお気に入りのユーザを登録すると、登録情報がサーバ装置に送信され、サーバ装置においてお気に入り情報が管理される。カラオケ装置は、オーディション開催通知を送信する前にサーバ装置にアクセスし、そのオーディション開催者がお気に入りに登録されているか否かを確認する。サーバ装置は、オーディション開催者がお気に入りに登録されていれば、そのお気に入りを登録しているユーザが現在使用しているカラオケ装置の位置情報を返信する。
【００４８】
図６は、お気に入りを登録しているユーザにオーディション開催通知を送信する例を示す図である。なお、図１と共通する構成については同一の符号を付し、その説明を省略する。この例において、サーバ装置３は、インターネット２を介してカラオケ装置１Ａ〜１Ｅと接続されている。カラオケ装置１Ａ〜１Ｅには、ユーザ５Ａ〜５Ｅがそれぞれ存在する。各ユーザ５Ａ〜５Ｅは、各カラオケ装置を用いてサーバ装置３にログインする。なお、サーバ装置３は、上述したように、集計結果を受信し、これを各ユーザに公開する公開サーバとしても機能する。
【００４９】
ここで、カラオケ装置１Ａ（ユーザ５Ａ）がオーディション開催通知を送信する場合、まずカラオケ装置１Ａがサーバ装置３にアクセスし、そのオーディション開催者（ユーザ５Ａ）がお気に入りに登録されているか否かを確認する。サーバ装置３は、ユーザ５Ａがいずれかのユーザのお気に入りに登録されていれば、登録したユーザ（同図の例ではユーザ５Ｄ）が現在使用しているカラオケ装置の位置情報を返信する。なお、ユーザ５Ｄが現在カラオケ装置を使用しておらず、ログインしていない場合、そのユーザのカラオケ装置の位置情報を送信しない。
【００５０】
カラオケ装置１Ａは、サーバ装置３から位置情報を受信し、上述のように所定の距離範囲のカラオケ装置にオーディション開催通知を送信するとともに、ユーザ５Ｄが使用しているカラオケ装置１Ｄにもオーディション開催通知を送信する。その結果、お気に入りのユーザがオーディションを開催する場合、各ユーザが遠い地点に居る場合であっても常に審査に参加することができる。
【００５１】
以上のように、本実施形態のカラオケシステムによれば、その場で誰でもオーディションを開催することができ、また、周囲のユーザが審査を行うことができる。また、審査参加を意思表示したユーザにオーディションデータ（ストリーミングデータ）が送信されるため、リアルタイムにオーディションを受け、審査を行うことができる。オーディション開催通知は、所定の距離範囲に送信されるため、地域単位で盛り上がることもできる。
【００５２】
なお、オーディション開催通知を受信したユーザは審査するだけでなく、自身もそのオーディションに参加するようにしてもよい。オーディションに参加するユーザが使用しているカラオケ装置では、オーディション開催通知を送信したカラオケ装置と同様に、オーディションデータを送信する。１つのオーディションで複数のユーザが同時に審査されるため、他のユーザとの競争意識も発生し、さらに盛り上がることができる。
【００５３】
なお、上記実施形態では、オーディション装置としてカラオケ装置、オーディションシステムとしてカラオケシステムを例示したが、本発明はこれに限定されるものではなく、その他一般的なイベント（例えばバンドコンテスト等）に用いることも可能である。バンドコンテストに用いる場合、複数のユーザの演奏する姿をカメラ２１で撮影し、ユーザの演奏音をマイク２０で収音すればよい。また、複数のカメラ、マイクを設置し、各ユーザの演奏する姿を複数のカメラで撮影し、各ユーザの演奏音を複数のマイクで収音するようにしてもよい。複数のカメラで撮影する場合には各カメラの撮影映像を合成して１つの映像データとすればよい。また、ユーザが電子楽器を用いて演奏を行う場合、ライン入力により直接、演奏音の音声信号を入力してもよい。
【００５４】
なお、本発明のオーディション装置をバンドコンテストに用いる場合、カラオケ演奏音は必須の構成要件ではない。すなわち、オーディションデータには、ユーザの演奏音とユーザの映像が含まれる。
【００５５】
また、ユーザがカラオケ演奏音にあわせてカラオケ曲のいずれか１つのパートを演奏することも可能である。この場合、ユーザが演奏を担当するパートについてのみカラオケ演奏を行わない（マイナスワン再生をする）ようにしてもよい。
【図面の簡単な説明】
【００５６】
【図１】カラオケシステムの構成を示すブロック図である。
【図２】カラオケ装置の構成を示すブロック図である。
【図３】カラオケ装置の動作を示すフローチャートである。
【図４】カラオケ装置１Ａがカラオケ装置１Ｂおよびカラオケ装置１Ｃにオーディション開催通知を送信する例を示す図である。
【図５】カラオケ装置１Ａがカラオケ装置１Ｂ、カラオケ装置１Ｃ、およびカラオケ装置１Ｄに再開催通知を送信する例を示す図である。
【図６】お気に入りを登録しているユーザにオーディション開催通知を送信する例を示す図である。
【符号の説明】
【００５７】
１Ａ、１Ｂ、１Ｃ、１Ｄ、１Ｅ−カラオケ装置
２−インターネット
【図１】
2008216432.tif 000003
【図２】
2008216432.tif 000004
【図３】
2008216432.tif 000005
【図４】
2008216432.tif 000006
【図５】
2008216432.tif 000007
【図６】
2008216432.tif 000008